(57)【要約】【課題】  本発明は、走行型茶葉摘採機本体の大型化と装置の複雑化を防ぎ、摘採した茶葉を効率的に摘採装置から茶葉収容装置に運ぶ装置を提供することを課題としている。【解決手段】  走行型茶葉摘採機を茶畝を跨いで茶畝に沿って走行する走行装置を備えた門型枠の機体と、門型枠下方にバリカン型の刈刃を備えた摘採装置と、摘採装置後方に設けた茶葉収容装置と、茶葉を茶葉収容装置の上部に運ぶ為の上昇気流が通っている略垂直な輸送ダクトと、輸送ダクトへ茶葉を送り込む為に、バリカン型の刈刃の表面に近接した位置に設け、１つの輸送ダクトにつき少なくとも１ヶ所が刈刃と接触しながら、先端をバリカン型の刈刃の前方から後方へ動かすように、スパイラル状に回転軸に取り付けた回転羽根とより構成する。【選択図】図１
2005143362.tif 000002
【特許請求の範囲】
【請求項１】
茶畝を跨いで茶畝に沿って走行する走行装置を備えた門型枠の機体と、門型枠下方にバリカン型の刈刃を備えた摘採装置と、摘採装置後方に設けた茶葉収容装置と、茶葉を茶葉収容装置の上部に運ぶ為の上昇気流が通っている略垂直な輸送ダクトと、輸送ダクトへ茶葉を送り込む為に、バリカン型の刈刃の表面に近接した位置に設け、１つの輸送ダクトにつき少なくとも１ヶ所が刈刃と接触しながら、先端をバリカン型の刈刃の前方から後方へ動かすように、スパイラル状に回転軸に取り付けた回転羽根とより構成することを特徴とする走行型茶葉摘採機。
【請求項２】
回転羽根を可撓性部材で構成することを特徴とする請求項１記載の走行型茶葉摘採機。
【請求項３】
門型枠の機体の幅方向に、複数の回転羽根を設けることを特徴とする請求項１又は２記載の走行型茶葉摘採機。
【請求項４】
回転羽根をスパイラル状に捻って回転軸に取り付けることを特徴とする請求項１、２又は３記載の走行型茶葉摘採機。
【請求項５】
回転羽根を、隣の回転羽根と回転軸への取付角度をずらして取り付けることを特徴とする請求項１、２又は３記載の走行型茶葉摘採機。
【発明の詳細な説明】
【技術分野】
【０００１】
本発明は、茶畝に沿って走行しながら茶葉を摘採しながら、摘採した茶葉を摘採装置から後方に設けた茶葉収容装置に輸送する走行型茶葉摘採機に関するものである。
【背景技術】
【０００２】
走行型茶葉摘採機において、摘採された茶葉を摘採装置と茶葉収容装置をつなぐ輸送ダクトで上昇気流によって輸送しているものに対して、次のようなものが開示されている。例えば、特許文献１、特許文献２、特許文献３。
【０００３】
特許文献１に示すものは、バリカン型刈刃の前方から多数の枝管のある送風管から圧力風を吹き出させて、摘採した茶葉を後方に吹き飛ばし、下端と上端がベンド状にＲ面をした垂直な輸送ダクト内を吹き上げて輸送するものである。更に、輸送ダクトの途中へ圧力風を吹き込んで、輸送の補助をするノズルも設けてある。
【０００４】
文献２に示すものは、文献１と同様バリカン型刈刃で摘採した茶葉を前方の送風管で後方に吹き飛ばし、斜め上方に吹き上げる輸送ダクト内を上方に吹き上げて輸送するものである。文献１と違うのは、送風ダクト下端がＲ状ベンドではなく、吹上げのための圧力風の吹出口を設けてある点である。文献２では刈刃の前方から吹出す圧力風を供給する為のファンと、輸送ダクト内へ圧力風を吹き上げる為のファンの２基が設けてある。
【０００５】
文献３に示すものは、摘採装置としてバリカン型の刈刃ではなく、横方向に回転軸を持つ回転刃を用いたものであって、回転刃の上方、後方側に圧力風を吹き出させて、摘採した茶葉を輸送するものである。
【０００６】
バリカン型刈刃の前方から多数の枝管のある送風管から圧力風を噴出させて摘採した茶葉を後方に吹き飛ばすのが主流である。回転体で後方に送り込む摘採装置は、回転体が回転軸に対し、平行に構成されている。
【特許文献１】特開２０００−２７０６５９号公報
【特許文献２】特許第３１３８７６６号公報
【特許文献３】特開２００２−２３８３２８号公報
【発明の開示】
【発明が解決しようとする課題】
【０００７】
特許文献１及び２に示すものは、いずれもバリカン型の刈刃の前に櫛型の枝管をつけた送風管を設けてある。この場合、摘採する茶葉の芽が長い場合や、茶葉が密生している場合、刈刃に当る前に櫛型の枝管に当り、押し倒されて刈刃に掛らずに茶樹の表面に残り、刈跡がまだらになってしまうことがある。又、特許文献１の例では、垂直の輸送ダクトの下部にＲベンドを必要としているので、摘採装置と輸送ダクトの間にＲベンド部の空間が必要となり、機体寸法が大きくなる。Ｒベンド部で圧力風の方向が変わるので、送風枝管から吹き出す風を強くせねばならず、ファンを強力で大型のものにする必要が生じる。一方、特許文献２に示すものは、垂直な輸送ダクトの下方から別の圧力風を送って、茶葉を上方に吹き飛ばしているため、２ヶのファンを必要としている。又、輸送ダクトの下端から吹き上げる圧力風は摘採装置の側面をダクトによって降し、摘採装置の巾方向に設けたテーパー型のダクトの側面と接続している。この為、摘採装置の全巾に平均に圧力風を吹き上げるのは困難である。又、側面をダクトが降下している為に、機体からダクトが横へはみ出して、走行の邪魔となる。特許文献１、２に示すものは共にエンジンを大型にし、摘採機本体も大型にする必要がある。
【０００８】
特許文献３に示すものは、回転刃で摘採した茶葉を輸送ダクトに送るために、回転刃の上方後方側に特別に圧力風の吹出口を設けるものであって、構造が複雑であり、やはり２ヶのファンを必要としている。
【０００９】
本発明は、走行型茶葉摘採機本体の大型化と装置の複雑化を防ぎ、摘採した茶葉を効率的に摘採装置から茶葉収容装置に運ぶ装置を提供することを課題としている。
【課題を解決するための手段】
【００１０】
本発明の第１の手段は、走行型茶葉摘採機を茶畝を跨いで茶畝に沿って走行する走行装置を備えた門型枠の機体と、門型枠下方にバリカン型の刈刃を備えた摘採装置と、摘採装置後方に設けた茶葉収容装置と、茶葉を茶葉収容装置の上部に運ぶ為の上昇気流が通っている略垂直な輸送ダクトと、輸送ダクトへ茶葉を送り込む為に、バリカン型の刈刃の表面に近接した位置に設け、１つの輸送ダクトにつき少なくとも１ヶ所が刈刃と接触しながら、先端をバリカン型の刈刃の前方から後方へ動かすように、スパイラル状に回転軸に取り付けた回転羽根とより構成する。
【００１１】
第２の手段は、第１の手段の回転羽根を可撓性部材で構成する。第３の手段は、第１又は２の手段の門型枠の機体の幅方向に、複数の回転羽根を設ける。第４の手段は、第１、２又は３の手段の回転羽根をスパイラル状に捻って回転軸に取り付ける。第５の手段は、第１、２又は３の手段の回転羽根を、隣の回転羽根と回転軸の円周方向の位置をずらして取り付ける。
【発明の効果】
【００１２】
バリカン型刈刃を設けた摘採装置で、回転羽根をスパイラル状にねじったり、角度をずらすことにより、刈り取った茶葉を輸送ダクトに連続して送ることができる。これにより、輸送ダクト内に茶葉が詰まることなく、茶葉を摘採することができる。
【発明を実施するための最良の形態】
【００１３】
図面に従って、実施の形態を説明する。図１はこの発明の茶葉輸送装置を設けた走行茶葉摘採機の実施例を示す正面図、図２は側面図、図３はバリカン型刈刃と回転羽根付近の拡大断面図、図４はバリカン型刈刃と回転羽根付近の斜視図である。
【００１４】
茶畝１を挟んで２本のクローラ型の走行装置２、３を門型枠４でつなぎ、門型枠４の下に摘採装置５を設けてある。摘採装置５の後方には、茶葉収容装置６が設けてある。摘採装置５と茶葉収容装置６はフレキシブルな輸送ダクト７、８でつながっている。門型枠４の上には、ファン９、１０が設置してあり、フレキシブルな送風ダクト１１、１２で摘採装置５と接続されている。摘採装置は中央部で２分割されており、送風ダクト１１、１２の先端部は扇状のフード１３、１４となって、摘採装置５の背面に接続している。輸送ダクト７、８の上端は下面が開放されたフード１５、１６となっており、茶葉収容装置６の上部に設置する。輸送ダクト７、８の下端は扇状のフード１９、２０となって、摘採装置５の上部に接続されている。茶葉収容装置６には、複数の茶袋１７が上面を開放されてセットされている。茶葉収容装置６は支柱１８を中心として回転し、フード１５、１６から落下する茶葉をセットされた全部の茶袋１７に受けることが出来るようになっている。
【００１５】
２１はバリカン型の刈刃であり、上下２枚のノコギリ状の刈刃が水平に往復運動し、茶葉を切断する構造となっている。刈刃２１の上には、回転軸２２を中心として回転する回転羽根２３が刈刃２１の表面に近接した位置に設けてあり、回転羽根２３の先端を刈刃２１の前方から後方へ動かす回転方向で回転している。２５は回転体の先端に沿って設けてある底板であり、圧力風の吹出口２６に臨んでいる。送風ダクト１１、１２の先端フード１３、１４は下端で１８０°向きを変え、吹出口２６となって、底板２５と接続している。
【００１６】
次に、摘採作業について説明する。摘採装置５は油圧駆動により上下可能となっている。走行装置２、３を畝間に合わせ、摘採装置５を上下させて、刈刃２１を摘採面に合わせ刈刃２１を駆動させると共に、回転羽根２３を回転させる。次いで、送風ファン９、１０を駆動させると、圧力風が発生し、送風ダクト１１、１２を通り、吹出口２６から輸送ダクト７、８へ吹き上げる。次いで、茶葉収容装置６をゆっくりと回転させる。機体を茶畝１に沿って走行させると、刈刃２１によって切断される。切断された茶葉は、回転羽根２３によって底板２５に沿って吹出口２６に送り込まれる。吹出口２６では、下方から吹き上げられている圧力風により、上方へ吹き飛ばされ、フード１９、２０を通って、輸送ダクト７、８内を上昇し、フード１５、１６部分で落下し、回転している茶袋１７内へ収容される。
【００１７】
本実施例の回転羽根２３は、回転羽根２３自身をスパイラル状に捻り、回転軸２２に取り付けてある。門型枠４の幅方向を４区間に区切り、１区間には９０度捻った回転羽根２３を２枚取り付けてある。これは、輸送ダクト７、８（フード１９、２０）それぞれにつき２区間で２枚ずつ回転羽根２３を設けるので、１つの輸送ダクト（フード）につき全部で４枚のうち少なくとも１ヶ所が刈刃２１に接触するようになり、３６０度を４枚で割るために９０度となる。このようにすると、茶葉及び空気が通り抜ける面積が常に一定となる。少なくとも１ヶ所以上が刈刃２１と接触すればいいので、もっと頻繁に接触するように捻る角度を大きくしてもよい。
【００１８】
他の実施例として、図５のように、回転軸２２に回転羽根３１を４枚取り付ける場合は、１枚の回転羽根２３を９０度捻る。茶葉及び空気が通り抜ける面積を常に一定とするため、４枚で３６０度とする。このとき、１つの輸送ダクト（フード）を２区間とする場合は、回転羽根３１は８枚となるので、１枚の回転羽根３１を４５度捻ればよい。１つの輸送ダクト（フード）を３区間とする場合は、１２枚になるので、１枚の回転羽根３１を３０度捻ればよい。
【００１９】
他の実施例として、図６のように、１区間の回転軸２２に回転羽根３２を３枚取り付けることも可能である。１つの輸送ダクト（フード）に対応する回転羽根３２であり、回転羽根３２は６枚となり、３６０度を６枚で割ると６０度になるため、１枚の回転羽根３２を６０度捻ればよい。２ヶ所接触させるためには、３６０度を３枚で割ると１２０度になるため、１枚の回転羽根３２を１２０度捻るとよい。
【００２０】
１つの輸送ダクト（フード）につき、回転羽根を１枚とする場合は、１枚の回転羽根を３６０度捻り、取り付けることも可能である。
【００２１】
図７のように、区間ごとに回転軸２２を分け、ジョイント部を設けて、接続しても同様である。
【００２２】
また、他の実施例として、図８のように、回転羽根３４を捻らずに、回転軸２２への取付角度を４５度ずらして、１区間２枚ずつ、４区間に分けて、８枚の回転羽根３４を取り付ける。
【００２３】
以上のように、区間数、１区間の回転羽根の数、回転軸２２への取付角度を増減することで、１つの輸送ダクトにつき少なくとも１ヶ所が刈刃と接触するようにすればよい。
【００２４】
回転羽根の材質は、ブラシや布、樹脂等の可撓性部材とする。
【００２５】
本実施例では、茶葉収容装置６には茶袋１７を設けたが、コンテナタイプのものでもよい。
【００２６】
また、本実施例では上昇気流として、ファン９、１０による送風としたが、吸引による上昇気流でもよい。
【図面の簡単な説明】
【００２７】
【図１】走行型茶葉摘採機の実施例を示す正面図。
【図２】図１の側面図。
【図３】バリカン型刈刃と回転羽根付近の拡大断面図。
【図４】バリカン型刈刃と回転羽根付近の斜視図。
【図５】バリカン型刈刃と回転羽根付近の拡大断面図。
【図６】バリカン型刈刃と回転羽根付近の斜視図。
【図７】バリカン型刈刃と回転羽根付近の斜視図。
【図８】バリカン型刈刃と回転羽根付近の斜視図。
【符号の説明】
【００２８】
１  茶畝
２  走行装置
３  走行装置
４  門型枠
５  摘採装置
６  茶葉収容装置
７  輸送ダクト
８  輸送ダクト
９  送風ファン
１０  送風ファン
１１  送風ダクト
１２  送風ダクト
１３  フード
１４  フード
１５  フード
１６  フード
１７  茶袋
１８  支柱
１９  （輸送ダクトの）フード
２０  （輸送ダクトの）フード
２１  刈刃
２２  回転軸
２３  回転羽根
２４  ブラシ
２５  底板
２６  吹出口
２９  エンジン
３０  運転ハンドル
３１  回転羽根
３２  回転羽根
３３  回転羽根
３４  回転羽根
【図１】
2005143362.tif 000003
【図２】
2005143362.tif 000004
【図３】
2005143362.tif 000005
【図４】
2005143362.tif 000006
【図５】
2005143362.tif 000007
【図６】
2005143362.tif 000008
【図７】
2005143362.tif 000009
【図８】
2005143362.tif 000010